(57)【要約】【課題】一般のディスクを再生する場合にユーザーにメニュー言語を提示する情報再生装置及び情報再生方法を提供する。【解決手段】ユーザーが設定可能な第１のメニュー言語コードを記憶する記憶手段と、複数のメニュー言語コードを選択可能なデータ構造を有する情報記憶媒体から第２のメニュー言語コードを選択する選択手段と、前記第１のメニュー言語コードの前記複数のメニュー言語コード中における有無を判定する判定手段と、前記判定が無しの場合に前記複数のメニュー言語コードに対応する言語のリストを表示する表示手段とを備えたことを特徴とする情報再生装置。【選択図】  図８
2011192352.tif 000002
【特許請求の範囲】
【請求項１】
ユーザーが設定可能な第１のメニュー言語コードを記憶する記憶手段と、
複数のメニュー言語コードを選択可能なデータ構造を有する情報記憶媒体から第２のメニュー言語コードを選択する選択手段と、
前記第１のメニュー言語コードの前記複数のメニュー言語コード中における有無を判定する判定手段と、
前記判定が無しの場合に前記複数のメニュー言語コードに対応する言語のリストを表示する表示手段とを
備えたことを特徴とする情報再生装置。
【請求項２】
前記データ構造はDVD-Video規格に拠るものであることを特徴とする請求項１に記載の情報再生装置。
【請求項３】
さらに前記リストの表示に基づいて外部から前記第２のメニュー言語コードを選択され、この第２のメニュー言語コードを前記第１のメニュー言語コードとして設定することを特徴とする請求項１に記載の情報再生装置。
【請求項４】
ユーザーが設定可能な第１のメニュー言語コードを記憶し、
前記第１のメニュー言語コードの、複数のメニュー言語コードを選択可能なデータ構造を有する情報記憶媒体の前記複数のメニュー言語コード中における有無を判定し、
前記判定が無しの場合に前記複数のメニュー言語コードに対応する言語のリストを表示することを特徴とする情報再生方法。
【請求項５】
前記データ構造に関しVMGM再生時からVTSM再生時へまたはVTSM再生時からVMGM再生時への遷移があるとき、前記表示手段は前記リストの表示を抑制することを特徴とする請求項２に記載の情報再生装置。
【発明の詳細な説明】
【技術分野】
【０００１】
本発明は、情報再生装置及び情報再生方法に係わり、特にDVD-Videoにおけるメニュー言語情報表示方法に関する。
【背景技術】
【０００２】
DVD-Video規格では、メニューが作成できるようになっている。そしてこのメニューは、同一構成のメニューを複数の言語で構成できるようになっている。このような複数のメニュー言語で構成されるディスクをプレーヤで再生する場合の言語選択は、次の順となっている。
【０００３】
(1)プレーヤに予め設定されている言語と一致する言語。
(2)先頭に配置されている言語。
上記方法において、(2)の動作の場合は、ユーザーの意図無しに言語を選択して再生してしまう。それと同時に、どの言語が選択されたのかユーザーは知ることができない。
【０００４】
対して特許文献１に記載の内容は、ディスク内に予め設定した言語コードと同じ言語コードで記述されたメニューがない場合は、言語選択メニューが起動するようなコンテンツからなるディスクを再生する再生装置である。
【０００５】
従って、言語選択メニューが用意されないディスクを再生する場合は、コンテンツにどのようなメニュー言語が記録されているかユーザーは知ることができないため使い勝手が悪くなる。
【先行技術文献】
【特許文献】
【０００６】
【特許文献１】特開２００４−３４２１７５号公報
【発明の概要】
【発明が解決しようとする課題】
【０００７】
本発明は、一般のディスクを再生する場合にユーザーにメニュー言語を提示する技術を提供することを目的とする。
【課題を解決するための手段】
【０００８】
上記課題を解決するために、本発明の情報再生装置は、ユーザーが設定可能な第１のメニュー言語コードを記憶する記憶手段と、複数のメニュー言語コードを選択可能なデータ構造を有する情報記憶媒体から第２のメニュー言語コードを選択する選択手段と、前記第１のメニュー言語コードの前記複数のメニュー言語コード中における有無を判定する判定手段と、前記判定が無しの場合に前記複数のメニュー言語コードに対応する言語のリストを表示する表示手段とを備えたことを特徴とする。
【発明の効果】
【０００９】
本発明によれば、一般のディスクを再生する場合にユーザーにメニュー言語を提示する情報再生装置及び情報再生方法が得られる。
【図面の簡単な説明】
【００１０】
【図１】本発明の情報再生装置の一実施形態に係わる動画像再生装置の概略構成を示すブロック図。
【図２】実施形態の動画像再生装置のＭＰＵの概略構成を示す機能ブロック図。
【図３】図１の光ディスク１の論理フォーマットの構造を示す構成図。
【図４】図３に示されるビデオマネージャーの構造を示す構成図。
【図５】図３に示したビデオタイトルセットの構造を示す構成図。
【図６】実施形態のDVD-Video規格におけるメニューのVMGMデータ構造を示すデータ構成図。
【図７】実施形態のDVD-Video規格におけるメニューのVTSMデータ構造を示すデータ構成図。
【図８】実施形態のVMGM(VTSM)再生時のフローチャート。
【図９】実施形態のプレーヤによる言語選択メニュー。
【発明を実施するための形態】
【００１１】
本発明による実施形態を図１乃至図９を参照して説明する。
図１は、本発明の情報再生装置の一実施形態に係わる動画像再生装置の概略構成を示す図である。
図１に示すように、動画像再生装置１０は、ディスクドライブ部１０１、ネットワークアクセス部１０２、データプロセッサ部１０４、メモリ部１０５、分離部１０６、ビデオデコーダ部１０７、サブピクチャデコーダ部１０８、グラフィックデコーダ部１０９、オーディオデコーダ部１１０、ビデオプロセッサ部１１１、Ｄ／Ａ変換部１１２、１１３、ＭＰＵ部１１４、キー入力部１１５、ＲＯＭ部１１６を備えている。
【００１２】
ディスクドライブ部１０１は、ＣＤ、ＤＶＤ、ＣｈｉｎａＨＤ ＤＶＤ（登録商標）、Ｂｌｕ−ｒａｙ（登録商標）などの光ディスク１に記録されたデータを読み出し、読み出したデータをデータプロセッサ部１０４及びＭＰＵ部１１４へ供給する。本実施形態では、光ディスク１に記録されたコンテンツデータに基づく表示制御について説明するが、本発明はこれに限定されるものではない。例えば、本発明は、ハードディスクに記録されたコンテンツデータに基づく表示制御、及びＳＤ（登録商標）等のメモリカードに記憶されたコンテンツデータに基づく表示制御であってもよい。
【００１３】
データプロセッサ部１０４は、読み出されたデータに含まれた再生データを分離部１０６へ供給する。分離部１０６は、再生データに含まれたビデオデータ、サブピクチャデータ、グラフィックデータ、オーディオデータを分離し、ビデオデータをビデオデコーダ部１０７へ供給し、サブピクチャデータをサブピクチャデコーダ部１０８へ供給し、グラフィックデータをグラフィックデコーダ部１０９へ供給し、オーディオデータをオーディオデコーダ部１１０へ供給する。
【００１４】
ビデオデコーダ部１０７は、ビデオデータをデコードし、デコードされたビデオデータをビデオプロセッサ部１１１へ供給する。サブピクチャデコーダ部１０８は、サブピクチャデータをデコードし、デコードされたサブピクチャデータをビデオプロセッサ部１１１へ供給する。グラフィックデコーダ部１０９は、グラフィックデータをデコードし、デコードされたグラフィックデータをビデオプロセッサ部１１１へ供給する。オーディオデコーダ部１１０は、オーディオデータをデコードし、デコードされたオーディオデータをＤ／Ａ変換部１１３へ供給する。
【００１５】
ビデオプロセッサ部１１１は、デコードされたビデオデータ、サブピクチャデータ、グラフィックデータを合成し、合成データをＤ／Ａ変換部１１２へ供給する。Ｄ／Ａ変換部１１２は、合成データをアナログビデオ信号へ変換し、アナログビデオ信号を出力する。また、Ｄ／Ａ変換部１１３は、デコードされたオーディオデータをアナログオーディオ信号へ変換し、アナログオーディオ信号を出力する。
【００１６】
また、ネットワークアクセス部１０２は、ネットワークサーバ２等へアクセスし、必要なデータをダウンロードする。例えば、本発明は、ダウンロードデータに基づく表示制御であってもよい。
【００１７】
また、図２に示すように、ＭＰＵ部１１４は、メディア判別部１１４１、管理情報判別部１１４２、デコードモード設定部１１４３、キー入力判別部１１４４、メモリアクセス部１１４５、及び操作音設定部１１４６を備えている。さらに、管理情報判定部１１４２は、ビデオ情報取得部１１４２ａ、テレビジョン方式判別部１１４２ｂを備えている。
【００１８】
メディア判別部１１４１は、光ディスク１から読み出されたデータに基づき、光ディスク１の種別を判別する。管理情報判定部１１４２は、光ディスク１から読み出されたデータに含まれた管理情報に基づき各種判定を行う。例えば、ビデオ情報取得部１１４２ａが管理情報からビデオ情報を取得し、テレビジョン方式判別部１１４２ｂはこのビデオ情報に基づき光ディスク１に記録されたコンテンツに対応したテレビジョン方式を判別し、判別したテレビジョン方式をデコードモード設定部１１４３へ通知する。デコードモード設定部１１４３は、通知されたテレビジョン方式に対応したデコードモードを、ビデオデコーダ部１０７、サブピクチャデコーダ部１０８、及びグラフィックデコーダ部１０９のデコードモードへ設定する。
【００１９】
キー入力判別部１１４４は、キー入力部１１５で入力されたキーを判別する。キー入力部１１５は、動画像再生装置１０の筐体に設けられたキー入力部、又はリモートコントローラに設けられたキー入力部である。キー入力部１１５は、ユーザーにより操作されたキーに対応した信号を送信し、キー入力判別部１１４４は、この信号を受信し、受信した信号からキー入力部１１５に設けられた複数のキーのうちのどのキーが操作されたかを判別する。ＭＰＵ部１１４は、キー操作に対応し、各部を制御し、光ディスク１に記録されたデータを再生したり、再生を停止したり、再生を早送りしたり、メニュー画面を表示するためのメニュー画面情報を出力したり、メニュー画面中の選択項目上のカーソルを移動したり、カーソルで選択された選択項目を決定したりする。
【００２０】
メモリアクセス部１１４５は、メモリ部１０５にアクセスし、データを読み出したり書き込んだりする。さらに、メモリアクセス部１１４５は、ＲＯＭ部１１６にアクセスし、データを読み出したりする。
【００２１】
図１に示した動画像再生装置１０の詳細な動作については、次に説明する光ディスク１の論理フォーマットを参照して後により詳細に説明する。
図３は、図１に示される光ディスク１の論理フォーマットの構造を示している。即ち、図１に示される光ディスク１のリードインエリア２７からリードアウトエリア２６までのデータ記録領域２８は、図３          ４に示されるようなボリューム及びファイル構造を有している。この構造は、論理フォーマットとして特定の規格、例えば、マイクロＵＤＦ（micro UDF ）及びＩＳＯ９６６０に準拠されて定められている。データ記録領域は、物理的に複数のセクタに分割され、その物理的セクタには、連続番号が付されている。下記の説明で論理アドレスは、マイクロＵＤＦ（microUDF）及びＩＳＯ９６６０で定められるように論理セクタ番号（ＬＳＮ）を意味し、論理セクタは、物理セクタのサイズと同様に２０４８バイトであり、論理セクタの番号（ＬＳＮ）は、物理セクタ番号の昇順とともに連続番号が付加されている。
【００２２】
図３に示されるようにこのボリューム及びファイル構造は、階層構造を有し、ボリューム及びファイル構造領域１００、ビデオマネージャー（ＶＭＧ）１０１、少なくとも１以上のビデオタイトルセット（ＶＴＳ）１０２及び他の記録領域１０３を有している。これら領域は、論理セクタの境界上で区分されている。ここで、従来のＣＤと同様に１論理セクタは、２０４８バイトと定義されている。同様に、１論理ブロックも２０４８バイトと定義され、従って、１論理セクタは、１論理ブロックと定義される。
【００２３】
ボリューム及びファイル構造領域１００は、マイクロＵＤＦ及びＩＳＯ９６６０に定められる管理領域に相当し、この領域の記述を介してビデオマネージャー１０１が例えばメモリ部１０５に格納される。ビデオマネージャー１０１には、図４を参照して説明するようにビデオタイトルセットを管理する情報が記述され、ファイル＃０から始まる複数のファイル１０４から構成されている。また、各ビデオタイトルセット（ＶＴＳ）１０２には、後に説明するように圧縮されたビデオデータ、オーディオデータ及び副映像データ及びこれらの再生情報が格納され、同様に複数のファイル１０４から構成されている。ここで、複数のビデオタイトルセット１０２は、最大９９個に制限され、また、各ビデオタイトルセット１０２を構成するファイル１０４（File#jからFile#j+ １１）の数は、最大１２個に定められている。これらファイルも同様に論理セクタの境界で区分されている。
【００２４】
他の記録領域１０３には、上述したビデオタイトルセット１０２を利用可能な情報が記録されている。この他の記録領域１０３は、必ずしも設けられなくとも良い。
図４に示すようにビデオマネージャー１０１は、夫々が各ファイ１０４に相当する３つの項目を含んでいる。即ち、ビデオマネージャー１０１は、ビデオマネージャー情報（ＶＭＧＩ）１０５、ビデオマネージャーメニューの為のビデオオブジェクトセット（ＶＭＧＭ＿ＶＯＢＳ）１０６及びビデオマネージャー情報のバックアップ（ＶＭＧＩ＿ＢＵＰ）１０７から構成されている。ここで、ビデオマネージャー情報（ＶＭＧＩ）１０５及びビデオマネージャー情報のバックアップ（ＶＭＧＩ＿ＢＵＰ）１０７は、必須の項目とされ、ビデオマネージャーメニューの為のビデオオブジェクトセット（ＶＭＧＭ＿ＶＯＢＳ）１０６は、オプションとされている。このＶＭＧＭ用のビデオオブジェクトセット（ＶＭＧＭ＿ＶＯＢＳ）１０６には、ビデオマネージャー１０１が管理する当該光ディスク中のボリュームに関するメニューのビデオデータ、オーディオデータ及び副映像データが格納されている。
【００２５】
続いて図４を参照してビデオの管理データが格納されているビデオマネージャー１０１について説明する。ビデオマネージャー１０１の先頭に配置されるビデオ管理情報１０５は、そのビデオマネージャー自体の情報、タイトルをサーチする為の情報、ビデオマネージャーメニューの再生の為の情報、及びビデオタイトルの属性情報の等のビデオタイトルセット（ＶＴＳ）１０２を管理する情報が記述され、図４に示す順序で４つのテーブル１０８、１０９、１１１、１１０が記録されている。この各テーブル１０８、１０９、１１１、１１０は、論理セクタの境界に一致されている。第１のテーブルであるビデオ管理情報管理テーブル（ＶＭＧＩ＿ＭＡＴ）１０８は、必須のテーブルであってビデオマネージャー１０１のサイズ、このビデオマネージャー１０１中の各情報のスタートアドレス、ビデオマネージャーメニュー用のビデオオブジェクトセット（ＶＭＧＭ＿ＶＯＢＳ）１０６のスタートアドレス及びその属性情報等が記述されている。この属性情報には、ビデオの属性情報、オーディオの属性情報及び副映像の属性情報があり、これらの属性情報よってデコーダ１０７、１０８、１０９、１１０及びビデオプロセッサ部１１１の各部のモードが変更され、ビデオオブジェクトセット（ＶＭＧＭ＿ＶＯＢＳ）１０６が適切なモードで再生される。
【００２６】
また、ビデオマネージャー１０１の第２のテーブルであるタイトルサーチポインターテーブル（ＴＴ＿ＳＲＰＴ）１０９には、装置のキー入力部１１５からのタイトル番号の入力に応じて選定可能な当該光ディスク１中のボリュームに含まれるビデオタイトルセットのスタートアドレスが記載されている。
【００２７】
ビデオマネージャー１０１の第３のテーブルであるビデオマネージャーメニューＰＧＣＩユニットテーブル（ＶＭＧＭ＿ＰＧＣＩ＿ＵＴ）１１０は、ビデオマネージャーメニュー用のビデオオブジェクト（ＶＭＧＭ＿ＶＯＢ）１０６がある場合には、必須項目とされている。ビデオマネージャーメニュー用のビデオオブジェクト（ＶＭＧＭ＿ＶＯＢ）１０６内には、種々の言語に対応したプログラムチェーンが設けられ、この各言語に対応したメニュー用のプログラムチェーンに関する情報が記述されている。
【００２８】
ビデオマネージャー１０１の第４のテーブルであるビデオタイトルセット属性テーブル（ＶＴＳ＿ＡＴＲＴ）１１１には、当該光ディスクのボリューム中のビデオタイトルセット（ＶＴＳ）１０２に定められた属性情報が記載される。即ち、属性情報としてビデオタイトルセット（ＶＴＳ）１０２の数、ビデオタイトルセット（ＶＴＳ）１０２の番号、ビデオの属性、例えば、ビデオデータの圧縮方式等、オーディオストリームの属性、例えば、オーディオの符号化モード等、副映像の属性、例えば、副映像の表示タイプ等がこのテーブルに記載されている。
【００２９】
またパレンタルマネージメントに関する情報、及びビデオタイトルセットの属性に関する方法が含まれる。パレンタル管理情報テーブル（ＰＬＴ＿ＭＡＩＴ）がある場合は、ビデオタイトルセットアトリビュートテーブル（ＶＴＳ＿ＡＴＲＴ）の前に位置する。
【００３０】
次に、図３に示されたビデオタイトルセット（ＶＴＳ）１０２の論理フォーマットの構造について図５を参照して説明する。各ビデオタイトルセット（ＶＴＳ）１０２には、その記載順に４つの項目１４０、１４１、１４２、１４３が記載されている。また、各ビデオタイトルセット（ＶＴＳ）１０２は、共通の属性を有する１又はそれ以上のビデオタイトルから構成され、このビデオタイトル１０２についての管理情報、例えば、ビデオオブジェクトセット１４２を再生する為の情報、タイトルセットメニュー（ＶＴＳＭ）を再生する為の情報及びビデオオブジェクトセット１０２の属性情報がビデオタイトルセット情報（ＶＴＳＩ）に記載されている。
【００３１】
このビデオタイトルセット情報（ＶＴＳＩ）１４０のバックアップ１４３がビデオタイトルセット（ＶＴＳ）１０２に設けられている。ビデオタイトルセット情報（ＶＴＳＩ）１４０とこの情報のバックアップ（ＶＴＳＩ＿ＢＵＰ）１４３との間には、ビデオタイトルセットメニュー用のビデオオブジェクトセット（ＶＴＳＭ＿ＶＯＢＳ）１４１及びビデオタイトルセットタイトル用のビデオオブジェクトセット（ＶＴＳＴＴ＿ＶＯＢＳ）１４２が配置されている。
【００３２】
ビデオタイトルセット情報（ＶＴＳＩ）１４０、この情報のバックアップ（ＶＴＳＩ＿ＢＵＰ）１４３及びビデオタイトルセットタイトル用のビデオオブジェクトセット（ＶＴＳＴＴ＿ＶＯＢＳ）１４２は、ビデオタイトルセット１０２にとって必須の項目とされ、ビデオタイトルセットメニュー用のビデオオブジェクトセット（ＶＴＳＭ＿ＶＯＢＳ）１４１は、必要に応じて設けられるオプションとされている。
【００３３】
ビデオタイトルセット情報（ＶＴＳＩ）１４０は、７つのテーブル１４４、１４５、１４６、１４７、１４８、１４９、１５０から構成され、この７つのテーブル１４４、１４５、１４６、１４７、１４８、１４９、１５０は、論理セクタ間の境界に一致されている。
【００３４】
第１のテーブルであるビデオタイトルセット情報管理テーブル（ＶＴＳＩ＿ＭＡＴ）１４４は、必須のテーブルであってビデオタイトルセット（ＶＴＳ）１０２のサイズ、ビデオタイトルセット（ＶＴＳ）１０２中の各情報の開始アドレス及びビデオタイトルセット（ＶＴＳ）１０２中のビデオオブジェクトセット（ＶＯＢＳ）８２の属性が記述されている。
【００３５】
第２のテーブルであるビデオタイトルセットパートオブタイトルサーチポインタテーブル（ＶＴＳ＿ＰＴＴ＿ＳＲＰＴ）１４５は、必須のテーブルであってユーザーが装置のキー操作／表示部４から入力した番号に応じて選定可能なビデオタイトルの部分、即ち、選定可能な当該ビデオタイトルセット１０２中に含まれるプログラムチェーン（ＰＧＣ）及び又はプログラム（ＰＧ）が記載されている。ユーザーは、光ディスク１０の配布とともにパンフレットに記載した入力番号中から任意の番号をキー操作／表示部４で指定すると、その入力番号に応じたストーリー中の部分からビデオを鑑賞することができる。この選択可能なタイトルのパートは、タイトル提供者が任意に定めることができる。
【００３６】
第３のテーブルであるビデオタイトルセットプログラムチェーン情報テーブル（ＶＴＳ＿ＰＧＣＩＴ）１４６は、必須のテーブルであってＶＴＳのプログラムチェーンに関する情報、即ち、ＶＴＳプログラムチェーン情報（ＶＴＳ＿ＰＧＣＩ）を記述している。
【００３７】
第４のテーブルであるビデオタイトルセットメニューＰＧＣＩユニットテーブル（ＶＴＳＭ＿ＰＧＣＩ＿ＵＴ）１４７は、ビデオタイトルセットメニュー用のビデオオブジェクトセット（ＶＴＳＭ＿ＶＯＢＳ）１４１が設けられる場合には、必須項目とされ、各言語毎に設けられたビデオタイトルセットメニュー（ＶＴＳＭ）を再現するためのプログラムチェーンについての情報が記述されている。このビデオタイトルセットメニューＰＧＣＩユニットテーブル（ＶＴＳＭ＿ＰＧＣＩ＿ＵＴ）１４７を参照することによってビデオオブジェクトセット（ＶＴＳＭ＿ＶＯＢＳ）１４１中の指定した言語のプログラムチェーンを獲得してメニューとして再現することができる。
【００３８】
第５のテーブルであるビデオタイトルセットタイムサーチマップテーブル（ＶＴＳ＿ＭＡＰＴ）１４８は、必要に応じて設けられるオプションのテーブルであって再生表示の一定時間に対するこのマップテーブル（ＶＴＳ＿ＭＡＰＴ）１４８が属するタイトルセット１０２の各プログラムチェーン（ＰＧＣ）内のビデオデータの記録位置に関する情報が記述されている。
【００３９】
第６のテーブルであるビデオタイトルセットセルアドレステーブル（ＶＴＳ＿Ｃ＿ＡＤＴ）１４９は、必須項目とされ、図２８を参照して説明したように全てのビデオオブジェクト８３を構成する各セル８４のアドレス或いは、セルを構成するセルピースのアドレスがビデオオブジェクト８３の識別番号の順序で記載されている。ここで、セルピースとは、セルを構成するピースであって、このセルピースを基準にインタリーブ処理されてセルがビデオオブジェクト８３中に配列される。
【００４０】
第７のテーブルであるビデオタイトルセットビデオオブジェクトユニットアドレスマップ（ＶＴＳ＿ＶＯＢＵ＿ＡＤＭＡＰ）１５０は、必須項目とされ、ビデオタイトルセット中のビデオオブジェクトユニット８５のスタートアドレスが全てその配列順序で記載されている。
【００４１】
さてDVD-Video規格におけるメニューのVMGMデータ構造を図６に示す。図６で一点鎖線より左の部分は図４で述べた部分を簡略に表現したものであるので説明を省略する。
【００４２】
ビデオマネージャーメニューＰＧＣＩユニットテーブル（ＶＭＧＭ＿ＰＧＣＩ＿ＵＴ）１１０は、ビデオマネージャーメニューＰＧＣＩユニットテーブル情報（ＶＭＧＭ＿ＰＧＣＩ＿ＵＴＩ）、一般に複数のビデオマネージャーメニュー言語ユニットサーチポインター（ＶＭＧＭ＿ＬＵ＿ＳＰＲ）とそれらの実体であるビデオマネージャーメニュー言語ユニット（ＶＭＧＭ＿ＬＵ）等から成っている。
【００４３】
即ち、ビデオマネージャーメニューＰＧＣＩユニットテーブル（ＶＭＧＭ＿ＰＧＣＩ＿ＵＴ）１１０には、始めにビデオマネージャーメニューＰＧＣＩユニットテーブル情報（ＶＭＧＭ＿ＰＧＣＩ＿ＵＴＩ）が記載され、次に、言語数ｎに対応してビデオマネージャーメニュー言語ユニットサーチポインタ（ＶＭＧＭ＿ＬＵ＿ＳＲＰ）が必要な数ｎだけ連続的に記載され、続いてサーチポインタで検索されるビデオマネージャーメニュー言語ユニット（ＶＭＧＭ＿ＬＵ）が記載されている。
【００４４】
マネージャーメニュー言語ユニットサーチポインタ（ＶＭＧＭ＿ＬＵ＿ＳＲＰ）の夫々には、ビデオマネージャーメニューの言語コード（ＶＭＧＭ＿ＬＣＤ）及びビデオマネージャーメニュー（ＶＭＧＭ）言語ユニット（ＶＭＧＭ＿ＬＵ）の開始アドレス（ＶＭＧＭ＿ＬＵ＿ＳＡ）が記述されている。  ＶＭＧＭ＿ＰＧＣＩ＿ＵＴの終了アドレス（ＶＭＧＭ＿ＰＧＣＩ＿ＵＴ＿ＥＡ）及びＶＭＧＭ＿ＬＵの開始アドレス（ＶＭＧＭ＿ＬＵ＿ＳＡ）は、このＶＭＧＭ＿ＰＧＣＩユニットテーブル（ＶＭＧＭ＿ＰＧＣＩ＿ＵＴ）１１０の先頭バイトからの論理ブロック番号で記述されている。
【００４５】
プレーヤは、VMGMから、予め設定されているメニュー言語コードと一致するVMGM_LCD#iを検索する。
検索の結果、一致するVMGM_LCDが存在した場合は、対応するVMGM_LU内のPGCを再生する。
一致するVMGM_LCDが存在しない場合は、ディスクに記録された言語数分のVMGM_LCDを列挙したメニューを作成し表示する。（図９参照）このプレーヤによる言語選択メニューにおいてユーザーによって決定された言語のVMGM_LU内のPGCを再生する。
【００４６】
次にDVD-Video規格におけるメニューのVTSMデータ構造を図７に示す。図７で一点鎖線より左の部分は図５で述べた部分を簡略に表現したものであるので説明を省略する。
【００４７】
ビデオタイトルセットメニューＰＧＣＩユニットテーブル（ＶＴＳＭ＿ＰＧＣＩ＿ＵＴ）１４７は、ビデオタイトルセットメニューＰＧＣＩユニットテーブル情報（ＶＴＳＭ＿ＰＧＣＩ＿ＵＴＩ）、一般に複数のビデオタイトルセットメニュー言語ユニットサーチポインター（ＶＴＳＭ＿ＬＵ＿ＳＰＲ）とそれらの実体であるビデオタイトルセットメニュー言語ユニット（ＶＴＳＭ＿ＬＵ）等から成っている。
【００４８】
ＶＴＳメニューＰＧＣＩユニットテーブル情報（ＶＭＧＭ＿ＰＧＣＩ＿ＵＴＩ）には、ＶＴＳＭ言語ユニット（ＶＴＳＭ＿ＬＵ）の数（  ＶＴＳＭ＿ＬＵ＿Ｎｓ）及びＶＴＳＭ＿ＰＧＣＩユニットテーブル（ＶＴＳＭ＿ＰＧＣＩ＿ＵＴ）の終了アドレス（ＶＴＳＭ＿ＰＧＣＩ＿ＵＴ＿ＥＡ）が記載されている。言語毎に用意されているｎ個のビデオマネージャーメニュー言語ユニットサーチポインタ（  ＶＴＳＭ＿ＬＵ＿ＳＲＰ）の夫々には、ＶＴＳメニューの言語コード（ＶＴＳＭ＿ＬＣＤ）及びＶＴＳメニュー（ＶＴＳＭ）言語ユニット（ＶＴＳＭ＿ＬＵ）の開始アドレス（ＶＴＳＭ＿ＬＵ＿ＳＡ）が記述されている。ＶＴＳＭ＿ＰＧＣＩ＿ＵＴ１４７の終了アドレス（ＶＴＳＭ＿ＰＧＣＩ＿ＵＴ＿ＥＡ）及びＶＴＳＭ＿ＬＵの開始アドレス（ＶＴＳＭ＿ＬＵ＿ＳＡ）は、このＶＴＳＭ＿ＰＧＣＩユニットテーブル（ＶＴＳＭ＿ＰＧＣＩ＿ＵＴ）１４７の先頭ブロックからの論理ブロック番号で記述されている。
【００４９】
言語毎に用意されているｎ個のＶＴＳＭ言語ユニット（ＶＴＳＭ＿ＬＵ）の夫々には、ＶＴＳメニュー言語ユニット情報（ＶＴＳＭ  ＿ＬＵＩ）、メニュー用のプログラムチェーンの数だけＶＴＳＭ＿ＰＧＣＩサーチポインタ（ＶＴＳＭ＿ＰＧＣＩ＿ＳＲＰ）が設けられ、このサーチポインタでサーチされるＶＴＳＭ＿ＰＧＣ情報（ＶＴＳＭ＿ＰＧＣＩ）が同様にメニュー用のプログラムチェーンの数だけ設けられている。
【００５０】
プレーヤは、現タイトルに対応したVTSMから、予め設定されているメニュー言語コードと一致するVTSM_LCD#iを検索する。
検索の結果、一致するVTSM_LCDが存在した場合は、対応するVTSM_LU内のPGCを再生する。
一致するVTSM_LCDが存在しない場合は、ディスクに記録された言語数分のVTSM_LCDを列挙したメニューを作成し表示する。（図９参照）このプレーヤによる言語選択メニューにおいてユーザーによって決定された言語のVTSM_LU内のPGCを再生する。
【００５１】
図８は、実施形態のVMGM(VTSM)再生時のフローチャートである。図８において、タイトルドメインまたはFPドメインから、VMGMドメイン(VTSMドメイン)への遷移が発生した場合（ステップＳ８１のＹ（Ｙｅｓ））、またTopMenu（Menu）キーが押された場合（ステップＳ８２のＹ（Ｙｅｓ））、プレーヤは、VMGM（現タイトルに対応したVTSM）から、予め設定されているメニュー言語コードと一致するVMGM_LCD#i（VTSM_LCD#i）を検索する（ステップＳ８３）。
【００５２】
検索の結果、一致するVMGM_LCD（VTSM_LCD）が存在した場合は（ステップＳ８４のＹ）、対応するVMGM_LU（VTSM_LU）内のPGCを再生する（ステップＳ８５）。
【００５３】
一致するVMGM_LCD（VTSM_LCD）が存在しない場合は（ステップＳ８４のＮ（Ｎｏ））、ディスクに記録された言語数分のVMGM_LCD（VTSM_LCD）を列挙したメニューを作成し表示する（ステップＳ８６）。（図９参照）プレーヤによる言語選択メニューユーザーによって決定（ステップＳ８７）された言語のVMGM_LU（VTSM_LU）内のPGCを再生する（ステップＳ８８）。
【００５４】
図９は、実施形態におけるプレーヤによる言語選択メニューを表したものである。ユーザーへの選択をうながすプロンプトメッセージの下に、ディスクに記録されている全てのメニュー言語名が表示されている。ここでは、英語、仏語とスペイン語の３つが表示されている。今は英語にフォーカスされており、例えばリモコンのカーソルキーで上下にフォーカスを移動させ決定機能を表すボタンを押して選択することができる。
【００５５】
なお、DVD-Video規格では、ユーザーの操作なしに自動的にVMGMからVTSMに遷移する場合がある。上記のままであると、VMGM再生時とVTSM再生時の両方で、言語選択メニューが表示されることになる。
【００５６】
この形態であると、ユーザーの操作が煩瑣となるので、VMGMとVTSMの言語構成が同じ場合に限ってはVTSM再生時の言語選択メニューは表示せずに、VMGM再生時の言語選択メニューで選ばれた言語をそのまま適用することが好適である。
【００５７】
他方でVTSM からVMGMに遷移する場合もあり得、同様の対処が有効である。
（問題のまとめ）
DVD-Video規格では、メニューが作成できるようになっている。
このメニューは、同一構成のメニューを複数の言語で構成できるようになっている。
しかし、ユーザーは、どのような言語のメニューが記録されているのか知ることができない。
（解決のための構成）
メニュー再生時に、プレーヤに設定されている言語と一致するメニューが存在しない場合、記録されている言語の言語選択メニューを生成し、表示させユーザーに知らせるものである。プレーヤが、メニュー言語選択メニューを作成する。
【００５８】
本実施形態を用いることにより、プレーヤに設定されているディスクメニュー言語と一致するメニュー言語が無い場合は、ユーザーが、記録されている言語の中から言語を選択できる。
【００５９】
本実施形態は、複数のメニュー言語で構成されるディスクにおいて、メニュー再生時にプレーヤに設定されているディスクメニュー言語と一致する言語のメニューが記録されてなかった場合は、プレーヤがディスクに記録されているメニュー言語のリストを作成して表示し、ユーザーに言語を決定させるものである。
【００６０】
効果として、ユーザーの意図の従ったメニュー言語で再生させることができる。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００６１】
１０…情報再生装置、１０１…ディスクドライブモジュール、１０２…ネットワークアクセスモジュール、１０４…データプロセッサ部、１０５…メモリ部、１０６…分離モジュール、１０７…ビデオデコーダ部、１０８…サブピクチャデコーダ部、１０９…グラフィックデコーダ部、１１０…オーディオデコーダ部、１１１…ビデオプロセッサ部、１１２、１１３…Ｄ／Ａ変換モジュール、１１４…ＭＰＵモジュール、１１５…キー入力部、１１６…ＲＯＭ部、１１４１…メディア判別モジュール、１１４２…管理情報判別モジュール、１１４２ａ…ビデオ情報取得モジュール、１１４２ｂ…テレビジョン方式判別モジュール、１１４３…デコードモード設定モジュール、１１４４…キー入力判別モジュール、１１４５…メモリアクセスモジュール。
【図１】
2011192352.tif 000003
【図２】
2011192352.tif 000004
【図３】
2011192352.tif 000005
【図４】
2011192352.tif 000006
【図５】
2011192352.tif 000007
【図６】
2011192352.tif 000008
【図７】
2011192352.tif 000009
【図８】
2011192352.tif 000010
【図９】
2011192352.tif 000011